(57)【要約】【課題】高コスト化を招くことなく、高速記録においても発光パワーを精度良く制御することができるパワー制御方法を提供する。【解決手段】書き込み信号及び書き込み用クロックＷｃｋに基づいてレーザ光をパルス発光し、情報記録媒体にデータを記録する際に、書き込み用クロックに同期し、記録速度に応じた所定の基準に従って設定された位相を有するタイミング信号ＣＬＫ５に基づいて書き込み信号に含まれるマーク領域及びスペース領域に関する情報が復元される。これにより、記録速度が高速化し、書き込み信号におけるマーク領域とスペース領域との境界位置が明瞭でない場合であっても、タイミング信号の位相が記録速度に応じて最適化されているために、書き込み信号に含まれるマーク領域及びスペース領域に関する情報を精度良く復元することが可能となる。【選択図】  図１５
2004273036.tif 000002
【特許請求の範囲】
【請求項１】
情報記録媒体にデータを記録する際に、書き込み信号及び書き込み用クロックに基づいて光源からパルス発光されるレーザ光の発光パワーを制御するパワー制御方法であって、
前記書き込み用クロックに同期し、記録速度に応じた所定の基準に従って設定された位相を有するタイミング信号に基づいて、前記書き込み信号に含まれるマーク領域及びスペース領域に関する情報を復元する第１工程；を含むパワー制御方法。
【請求項２】
前記タイミング信号は、互いに異なる位相を有する複数の信号の中から選択された信号であることを特徴とする請求項１に記載のパワー制御方法。
【請求項３】
前記所定の基準は、前記書き込み用クロックの周期Ｔを用いて３Ｔで示される長さのマーク領域及びスペース領域に関する情報を、前記記録速度において、それぞれ正しく認識することができる基準であることを特徴とする請求項１又は２に記載のパワー制御方法。
【請求項４】
前記所定の基準は、前記書き込み用クロックの周期Ｔを用いて３Ｔから１４Ｔで示される複数の長さのマーク領域及びスペース領域に関する情報を、前記記録速度において、それぞれ正しく認識することができる基準であることを特徴とする請求項１又は２に記載のパワー制御方法。
【請求項５】
情報記録媒体にデータを記録する際に、書き込み信号及び書き込み用クロックに基づいて光源からパルス発光されるレーザ光の発光パワーを制御するパワー制御方法であって、
前記書き込み用クロックをＮ（Ｎ≧２）逓倍して生成された高周波クロック信号に基づいて、前記書き込み信号に含まれるマーク領域及びスペース領域に関する情報を復元する第１工程；を含むパワー制御方法。
【請求項６】
前記第１工程では、前記高周波クロック信号を基準クロックとして、前記書き込み信号からマーク領域及びスペース領域のそれぞれの長さに関する情報を検出し、該検出の結果に基づいて所定の演算処理を行い、前記書き込み信号に含まれるマーク領域及びスペース領域に関する情報を復元することを特徴とする請求項５に記載のパワー制御方法。
【請求項７】
前記第１工程では、前記スペース領域の長さに関する情報として、前記基準クロックの計数値Ｓが検出されたときに、該計数値Ｓを前記Ｎで除算したときの商ＳＳと所定値ＳＲとを用いて、Ｓ＞Ｎ・ＳＳ＋ＳＲの関係が満足される場合にはＮ・（ＳＳ＋１）を前記計数値Ｓの補正値とし、Ｓ≦Ｎ・ＳＳ＋ＳＲの関係が満足される場合にはＮ・ＳＳを前記計数値Ｓの補正値として、前記書き込み信号に含まれるマーク領域及びスペース領域に関する情報を復元することを特徴とする請求項６に記載のパワー制御方法。
【請求項８】
前記第１工程では、前記高周波クロック信号を基準クロックとして、マーク領域の長さに関する情報、及び該マーク領域と次のマーク領域との間の長さに関する情報をそれぞれ前記書き込み信号から検出し、該検出の結果に基づいて所定の演算処理を行い、前記書き込み信号に含まれるマーク領域及びスペース領域に関する情報を復元することを特徴とする請求項５に記載のパワー制御方法。
【請求項９】
前記第１工程では、前記マーク領域の長さに関する情報として、前記基準クロックの計数値Ｍが検出されたときに、該計数値Ｍを前記Ｎで除算したときの商ＭＭと所定値ＭＲとを用いて、Ｍ＞Ｎ・ＭＭ＋ＭＲの関係が満足される場合にはＮ・（ＭＭ＋１）を前記計数値Ｍの補正値とし、Ｍ≦Ｎ・ＭＭ＋ＭＲの関係が満足される場合にはＮ・ＭＭを前記計数値Ｍの補正値として、前記書き込み信号に含まれるマーク領域及びスペース領域に関する情報を復元することを特徴とする請求項６〜８のいずれか一項に記載のパワー制御方法。
【請求項１０】
前記第１工程で復元された情報に基づいて、前記発光パワーのパルスの形状を調整する第２工程を更に含むことを特徴とする請求項１〜９のいずれか一項に記載のパワー制御方法。
【請求項１１】
前記第２工程では、前記パルスにおけるライトパワー値に第１の値を第１の時間だけ加算することを特徴とする請求項１０に記載のパワー制御方法。
【請求項１２】
前記第２工程では、前記パルスにおけるボトムパワー値から第２の値を第２の時間だけ減算することを特徴とする請求項１１に記載のパワー制御方法。
【請求項１３】
情報記録媒体にデータを記録する際に、書き込み信号及び書き込み用クロックに基づいて光源からパルス発光されるレーザ光の発光パワーを制御するパワー制御装置であって、
前記書き込み用クロックに同期し、記録速度に応じて設定された位相を有するタイミング信号を生成するタイミング信号生成手段と；
前記タイミング信号に基づいて前記書き込み信号に含まれるマーク領域及びスペース領域に関する情報を復元する復元手段と；
前記復元結果に基づいて前記レーザ光の発光パワーを制御する制御手段と；を備えるパワー制御装置。
【請求項１４】
前記タイミング信号生成手段は、
前記書き込みクロックに同期した互いに異なる位相を有する複数の信号を生成する位相信号生成手段と；
前記複数の信号の中から記録速度に応じた所定の基準を満足する信号をタイミング信号として選択する選択手段と；を有することを特徴とする請求項１３に記載のパワー制御装置。
【請求項１５】
情報記録媒体にデータを記録する際に、書き込み信号及び書き込み用クロックに基づいて光源からパルス発光されるレーザ光の発光パワーを制御するパワー制御装置であって、
前記書き込み用クロックをＮ（Ｎ≧２）逓倍して高周波クロック信号を生成する高周波クロック信号生成手段と；
前記高周波クロック信号に基づいて前記書き込み信号に含まれるマーク領域及びスペース領域に関する情報を復元する復元手段と；
前記復元結果に基づいて前記レーザ光の発光パワーを制御する制御手段と；を備えるパワー制御装置。
【請求項１６】
前記パルスにおけるライトパワー値に第１の値を第１の時間だけ加算する加算手段を更に備えることを特徴とする請求項１３〜１５のいずれか一項に記載のパワー制御装置。
【請求項１７】
前記パルスにおけるボトムパワー値から第２の値を第２の時間だけ減算する減算手段を更に備えることを特徴とする請求項１６に記載のパワー制御装置。
【請求項１８】
情報記録媒体に対して情報の記録、再生及び消去のうち少なくとも記録を行なう情報記録装置であって、
光源と；
前記光源から出射される光束を前記情報記録媒体の記録面に集光する対物レンズを含み、前記記録面で反射された戻り光束を所定の受光位置に導く光学系と；
前記受光位置に配置された光検出器と；
請求項１３〜１７のいずれか一項に記載のパワー制御装置と；
前記光検出器の出力信号を用いて、前記情報の記録、再生及び消去のうち少なくとも記録を行なう処理装置と；を備える情報記録装置。
【発明の詳細な説明】
【０００１】
【発明の属する技術分野】
本発明は、パワー制御方法、パワー制御装置及び情報記録装置に係り、更に詳しくは、情報記録媒体に照射されるレーザ光の発光パワーを制御するパワー制御方法、パワー制御装置、及び該パワー制御装置を備える情報記録装置に関する。
【０００２】
【従来の技術】
近年、パーソナルコンピュータは、その機能が向上するに伴い、音楽や映像といったＡＶ（Ａｕｄｉｏ−Ｖｉｓｕａｌ）情報を取り扱うことが可能となってきた。これらＡＶ情報の情報量は非常に大きいために、情報記録媒体としてＣＤ（ｃｏｍｐａｃｔ  ｄｉｓｃ）やＤＶＤ（ｄｉｇｉｔａｌ  ｖｅｒｓａｔｉｌｅ  ｄｉｓｃ）などの光ディスクが注目されるようになり、その低価格化とともに、情報記録装置としての光ディスク装置がパーソナルコンピュータの周辺機器の一つとして普及するようになった。光ディスク装置では、光ディスクのスパイラル状又は同心円状のトラックが形成された記録面にレーザ光の微小スポットを形成することにより情報の記録及び消去を行い、記録面からの反射光に基づいて情報の再生などを行っている。そして、光ディスク装置には、情報記録媒体の記録面にレーザ光を照射するとともに、記録面からの反射光を受光するための装置として、光ピックアップ装置が設けられている。
【０００３】
通常、光ピックアップ装置は、レーザ光を所定の発光パワー（出力）で出射する光源、その光源から出射されるレーザ光を情報記録媒体の記録面に導くとともに、記録面で反射されたレーザ光を所定の受光位置まで導く光学系、及びその受光位置に配置された受光素子などを備えている。
【０００４】
光ディスクでは、互いに反射率の異なるマーク領域及びスペース領域のそれぞれの長さとそれらの組み合わせとによって情報が記録される。そこで、光ディスクに情報を記録する際には所定位置にマーク領域及びスペース領域がそれぞれ形成されるように光源の発光パワーが制御される。
【０００５】
記録層に有機色素を含むＣＤ−Ｒ（ＣＤ−ｒｅｃｏｒｄａｂｌｅ）、ＤＶＤ−Ｒ（ＤＶＤ−ｒｅｃｏｒｄａｂｌｅ）及びＤＶＤ＋Ｒ（ＤＶＤ＋ｒｅｃｏｒｄａｂｌｅ）などの追記型の光ディスク（以下、便宜上「色素型ディスク」ともいう）では、マーク領域を形成するときには発光パワーを大きくして色素を加熱及び溶解し、そこに接している基板部分を変質・変形させている。一方、スペース領域を形成するときには基板が変質・変形しないように発光パワーを再生時と同程度に小さくしている。これにより、マーク領域ではスペース領域よりも反射率が低くなる。このような発光パワーの制御方式は、単パルス記録方式とも呼ばれている。なお、マーク領域を形成するときの発光パワーはライトパワー、スペース領域を形成するときの発光パワーはボトムパワーとも呼ばれている。
【０００６】
また、記録層に特殊合金を含むＣＤ−ＲＷ（ＣＤ−ｒｅｗｒｉｔａｂｌｅ）、ＤＶＤ−ＲＷ（ＤＶＤ−ｒｅｗｒｉｔａｂｌｅ）、及びＤＶＤ＋ＲＷ（ＤＶＤ＋ｒｅｗｒｉｔａｂｌｅ）などの書き換え可能な光ディスク（以下、便宜上「相変化型ディスク」ともいう）では、マーク領域を形成する時には、特殊合金を第１の温度に加熱したのち急冷し、アモルファス（非晶質）状態にしている。一方、スペース領域を形成する時には、特殊合金を第２の温度（＜第１の温度）に加熱したのち徐冷し、結晶状態にしている。これにより、マーク領域ではスペース領域よりも反射率が低くなる。この場合には、蓄熱の影響を除去するために、マーク領域を形成するときの発光パワーを複数のパルスに分割（マルチパルス化）することが行なわれている。このような発光パワーの制御方式はマルチパルス記録方式とも呼ばれている。このマルチパルス記録方式において、発光パワーをマルチパルス化する規則は記録ストラテジと呼ばれている。記録ストラテジにおける加熱時の発光パワーはライトパワー、冷却時の発光パワーはボトムパワーとも呼ばれ、スペース領域を形成するときの発光パワーはイレーズパワーとも呼ばれている。また、以下では、マルチパルス化された発光パルスにおけるライトパワーを含むパルスを加熱パルス、ボトムパワーを含むパルスを冷却パルスと呼ぶこととする。なお、記録速度の高速化に伴い、色素型ディスクであっても、例えばＤＶＤ系の光ディスク（ＤＶＤ−Ｒ、ＤＶＤ＋Ｒなど）では、マルチパルス記録方式が提案されている。但し、この場合には、スペース領域を形成するときの発光パワーとボトムパワーとはほぼ一致している。
【０００７】
上記記録ストラテジは、記録品質に大きな影響を与える重要な記録条件の一つである。そこで、最適な記録ストラテジを求める装置及び方法が種々提案されている（例えば、特許文献１〜特許文献３参照）。
【０００８】
【特許文献１】
特開２０００−２８５４６４号公報
【特許文献２】
特許第３２７１５７５号公報
【特許文献３】
特許第３１３８６１０号公報
【０００９】
【発明が解決しようとする課題】
しかしながら、上記特許文献１〜特許文献３に開示されている装置及び方法では、記録速度が高速になると、発光パワーの立上がり及び立下がりの遅れ（なまり）に起因して、マーク領域の形状や形成位置の精度が損なわれ、記録品質が低下するおそれがあった。一例として図１９（Ａ）のＬＤ等価モデルに示されるように、レーザ光を発光するレーザダイオードは、一般的に特性としてアノードとカソードとの間に接合容量（ここでは寄生容量を含む）ＣＬＤを有している。なお、図１９（Ａ）におけるｒはオン抵抗、ＬＤｉは理想レーザダイオードである。また、図１９（Ａ）におけるＬＤ駆動部は駆動電流ＩＬＤを供給する電流源以外は図示を省略している。そこで、一例として図１９（Ｂ）に示されるように所定の駆動電流ＩＬＤを急峻な立上りでレーザダイオードに供給しても、一部の電流は接合容量ＣＬＤの充電電流Ｉｃとして用いられるため、理想レーザダイオードＬＤｉを流れる電流の立上り時間が遅くなり、その結果、一例として図１９（Ｃ）に示されるように、発光パワーの立上り時間が遅くなる。また、駆動電流ＩＬＤを急峻に立ち下げた場合には、接合容量ＣＬＤの放電電流によって理想レーザダイオードＬＤｉを流れる電流の立下がり時間が遅くなり、その結果発光パワーの立下がり時間が遅くなる。特に、記録速度を高速化するには高出力のレーザダイオードが必要となるが、一般に高出力のレーザダイオードは接合容量が大きいため、発光パワーの立上がり及び立下がりの遅れ（なまり）の問題が顕著となる。
【００１０】
また、記録品質を低下させることなく記録速度を高速化するためには、発光パルスを制御するための時間分解能を更に向上させなければならない。例えば記録品質を低下させることなくＤＶＤに１０倍速で記録をするには、約１００ｐｓの分解能が必要となり、部品コスト、製造コスト及び調整コストなどが大幅に上昇するという不都合があった。
【００１１】
さらに、記録速度が増大すると、配線ケーブルなどに起因する書き込み信号のなまりの影響も無視できなくなり、書き込み信号におけるマーク部及びスペース部の時間幅を誤るおそれがある。例えばＤＶＤにおいて１６倍速で記録する場合には、書き込み用クロック（基本クロック）の周期が２．５ｎｓ以下になるので記録品質に及ぼす影響は顕著となる。この場合には、書き込み信号を差動信号として転送することにより、上記影響を抑制しつつ、高速で転送することが可能であるが、この方式では配線本数の増大、信号処理回路を構成するＬＳＩ等のピン数の増大、出力部を構成するトランジスタ等の大型化を招き、大幅なコストアップとなるという不都合があった。
【００１２】
本発明は、かかる事情の下になされたもので、その第１の目的は、高コスト化を招くことなく、高速記録においても発光パワーを精度良く制御することができるパワー制御方法及びパワー制御装置を提供することにある。
【００１３】
また、本発明の第２の目的は、記録品質に優れた記録を高速度で行うことができる情報記録装置を提供することにある。
【００１４】
【課題を解決するための手段】
請求項１に記載の発明は、情報記録媒体にデータを記録する際に、書き込み信号及び書き込み用クロックに基づいて光源からパルス発光されるレーザ光の発光パワーを制御するパワー制御方法であって、前記書き込み用クロックに同期し、記録速度に応じた所定の基準に従って設定された位相を有するタイミング信号に基づいて、前記書き込み信号に含まれるマーク領域及びスペース領域に関する情報を復元する第１工程；を含むパワー制御方法である。
【００１５】
なお、本明細書では、「マーク領域に関する情報」はマーク領域の形成位置及び長さに関する情報を含み、「スペース領域に関する情報」はスペース領域の形成位置及び長さに関する情報を含む。この形成位置に関する情報は、位置情報だけでなく、位置情報に変換することができる情報、位置の変化に応じて変化する情報を含む。さらに、長さに関する情報は、長さ情報だけでなく、長さ情報に変換することができる情報、長さの変化に応じて変化する情報を含む。
【００１６】
これによれば、書き込み信号及び書き込み用クロックに基づいてレーザ光をパルス発光し、情報記録媒体にデータを記録する際に、書き込み用クロックに同期し、記録速度に応じた所定の基準に従って設定された位相を有するタイミング信号に基づいて書き込み信号に含まれるマーク領域及びスペース領域に関する情報が復元される。例えば記録速度が高速になり、書き込み信号におけるマーク領域とスペース領域との境界位置が明瞭でない場合であっても、タイミング信号の位相が記録速度に応じて最適化されているために、書き込み信号に含まれるマーク領域及びスペース領域に関する情報を精度良く復元することが可能となる。従って、結果として高コスト化を招くことなく、高速記録においても発光パワーを精度良く制御することができる。
【００１７】
この場合において、請求項２に記載のパワー制御方法の如く、前記タイミング信号は、互いに異なる位相を有する複数の信号の中から選択された信号であることとすることができる。
【００１８】
上記請求項１及び２に記載の各パワー制御方法において、請求項３に記載のパワー制御方法の如く、前記所定の基準は、前記書き込み用クロックの周期Ｔを用いて３Ｔで示される長さのマーク領域及びスペース領域に関する情報を、前記記録速度において、それぞれ正しく認識することができる基準であることとすることができる。
【００１９】
上記請求項１及び２に記載の各パワー制御方法において、請求項４に記載のパワー制御方法の如く、前記所定の基準は、前記書き込み用クロックの周期Ｔを用いて３Ｔから１４Ｔで示される複数の長さのマーク領域及びスペース領域に関する情報を、前記記録速度において、それぞれ正しく認識することができる基準であることとすることができる。
【００２０】
請求項５に記載の発明は、情報記録媒体にデータを記録する際に、書き込み信号及び書き込み用クロックに基づいて光源からパルス発光されるレーザ光の発光パワーを制御するパワー制御方法であって、前記書き込み用クロックをＮ（Ｎ≧２）逓倍して生成された高周波クロック信号に基づいて、前記書き込み信号に含まれるマーク領域及びスペース領域に関する情報を復元する第１工程；を含むパワー制御方法である。
【００２１】
これによれば、書き込み信号及び書き込み用クロックに基づいてレーザ光をパルス発光し、情報記録媒体にデータを記録する際に、書き込み用クロックをＮ（Ｎ≧２）逓倍して生成された高周波クロック信号に基づいて書き込み信号に含まれるマーク領域及びスペース領域に関する情報の少なくとも一方が補正される。
例えば記録速度が高速になり、書き込み信号におけるマーク領域とスペース領域との境界が明瞭でない場合であっても、境界位置を確定することができるため、マーク領域及びスペース領域に関する情報を精度良く復元することが可能となる。従って、結果として高コスト化を招くことなく、高速記録においても発光パワーを精度良く制御することができる。
【００２２】
この場合において、請求項６に記載のパワー制御方法の如く、前記第１工程では、前記高周波クロック信号を基準クロックとして、前記書き込み信号からマーク領域及びスペース領域のそれぞれの長さに関する情報を検出し、該検出の結果に基づいて所定の演算処理を行い、前記書き込み信号に含まれるマーク領域及びスペース領域に関する情報を復元することとすることができる。
【００２３】
この場合において、請求項７に記載のパワー制御方法の如く、前記第１工程では、前記スペース領域の長さに関する情報として、前記基準クロックの計数値Ｓが検出されたときに、該計数値Ｓを前記Ｎで除算したときの商ＳＳと所定値ＳＲとを用いて、Ｓ＞Ｎ・ＳＳ＋ＳＲの関係が満足される場合にはＮ・（ＳＳ＋１）を前記計数値Ｓの補正値とし、Ｓ≦Ｎ・ＳＳ＋ＳＲの関係が満足される場合にはＮ・ＳＳを前記計数値Ｓの補正値として、前記書き込み信号に含まれるマーク領域及びスペース領域に関する情報を復元することとすることができる。
【００２４】
上記請求項５に記載のパワー制御方法において、請求項８に記載のパワー制御方法の如く、前記第１工程では、前記高周波クロック信号を基準クロックとして、マーク領域の長さに関する情報、及び該マーク領域と次のマーク領域との間の長さに関する情報をそれぞれ前記書き込み信号から検出し、該検出の結果に基づいて所定の演算処理を行い、前記書き込み信号に含まれるマーク領域及びスペース領域に関する情報を復元することとすることができる。
【００２５】
上記請求項６〜８に記載の各パワー制御方法において、請求項９に記載のパワー制御方法の如く、前記第１工程では、前記マーク領域の長さに関する情報として、前記基準クロックの計数値Ｍが検出されたときに、該計数値Ｍを前記Ｎで除算したときの商ＭＭと所定値ＭＲとを用いて、Ｍ＞Ｎ・ＭＭ＋ＭＲの関係が満足される場合にはＮ・（ＭＭ＋１）を前記計数値Ｍの補正値とし、Ｍ≦Ｎ・ＭＭ＋ＭＲの関係が満足される場合にはＮ・ＭＭを前記計数値Ｍの補正値として、前記書き込み信号に含まれるマーク領域及びスペース領域に関する情報を復元することとすることができる。
【００２６】
上記請求項１〜９に記載の各パワー制御方法において、請求項１０に記載のパワー制御方法の如く、前記第１工程で復元された情報に基づいて、前記発光パワーのパルスの形状を調整する第２工程を更に含むこととすることができる。
【００２７】
この場合において、請求項１１に記載のパワー制御方法の如く、前記第２工程では、前記パルスにおけるライトパワー値に第１の値を第１の時間だけ加算することとすることができる。
【００２８】
この場合において、請求項１２に記載のパワー制御方法の如く、前記第２工程では、前記パルスにおけるボトムパワー値から第２の値を第２の時間だけ減算することとすることができる。
【００２９】
請求項１３に記載の発明は、情報記録媒体にデータを記録する際に、書き込み信号及び書き込み用クロックに基づいて光源からパルス発光されるレーザ光の発光パワーを制御するパワー制御装置であって、前記書き込み用クロックに同期し、記録速度に応じて設定された位相を有するタイミング信号を生成するタイミング信号生成手段と；前記タイミング信号に基づいて前記書き込み信号に含まれるマーク領域及びスペース領域に関する情報を復元する復元手段と；前記復元結果に基づいて前記レーザ光の発光パワーを制御する制御手段と；を備えるパワー制御装置である。
【００３０】
これによれば、書き込み信号及び書き込み用クロックに基づいてレーザ光をパルス発光し、情報記録媒体にデータを記録する際に、タイミング信号生成手段により書き込みクロックに同期し、記録速度に応じて設定された位相を有するタイミング信号が生成される。そして、該タイミング信号に基づいて復元手段により書き込み信号に含まれるマーク領域及びスペース領域に関する情報が復元されると、その復元結果に基づいて制御手段によりレーザ光の発光パワーが制御される。例えば記録速度が高速になり、書き込み信号におけるマーク領域とスペース領域との境界位置が明瞭でない場合であっても、タイミング信号の位相が記録速度に応じて最適化されているために、書き込み信号に含まれるマーク領域及びスペース領域に関する情報を精度良く復元することが可能となる。従って、結果として高コスト化を招くことなく、高速記録においても発光パワーを精度良く制御することができる。
【００３１】
この場合において、請求項１４に記載のパワー制御装置の如く、前記タイミング信号生成手段は、前記書き込みクロックに同期した互いに異なる位相を有する複数の信号を生成する位相信号生成手段と；前記複数の信号の中から記録速度に応じた所定の基準を満足する信号をタイミング信号として選択する選択手段と；を有することとすることができる。
【００３２】
請求項１５に記載の発明は、情報記録媒体にデータを記録する際に、書き込み信号及び書き込み用クロックに基づいて光源からパルス発光されるレーザ光の発光パワーを制御するパワー制御装置であって、前記書き込み用クロックをＮ（Ｎ≧２）逓倍して高周波クロック信号を生成する高周波クロック信号生成手段と；前記高周波クロック信号に基づいて前記書き込み信号に含まれるマーク領域及びスペース領域に関する情報を復元する復元手段と；前記復元結果に基づいて前記レーザ光の発光パワーを制御する制御手段と；を備えるパワー制御装置である。
【００３３】
これによれば、書き込み信号及び書き込み用クロックに基づいてレーザ光をパルス発光し、情報記録媒体にデータを記録する際に、信号生成手段により書き込み用クロックをＮ（Ｎ≧２）逓倍した高周波クロック信号が生成され、該高周波クロック信号に基づいて書き込み信号に含まれるマーク領域及びスペース領域に関する情報が復元手段により復元される。そして、その復元結果に基づいて制御手段によりレーザ光の発光パワーが制御される。例えば記録速度が高速になり、書き込み信号におけるマーク領域とスペース領域との境界が明瞭でない場合であっても、境界位置を確定することができるため、マーク領域及びスペース領域に関する情報を精度良く復元することが可能となる。従って、結果として高コスト化を招くことなく、高速記録においても発光パワーを精度良く制御することができる。
【００３４】
上記請求項１３〜１５に記載の各パワー制御装置において、請求項１６に記載のパワー制御装置の如く、前記パルスにおけるライトパワー値に第１の値を第１の時間だけ加算する加算手段を更に備えることとすることができる。
【００３５】
この場合において、請求項１７に記載のパワー制御装置の如く、前記パルスにおけるボトムパワー値から第２の値を第２の時間だけ減算する減算手段を更に備えることとすることができる。
【００３６】
請求項１８に記載の発明は、情報記録媒体に対して情報の記録、再生及び消去のうち少なくとも記録を行なう情報記録装置であって、光源と；前記光源から出射される光束を前記情報記録媒体の記録面に集光する対物レンズを含み、前記記録面で反射された戻り光束を所定の受光位置に導く光学系と；前記受光位置に配置された光検出器と；請求項１３〜１７のいずれか一項に記載のパワー制御装置と；前記光検出器の出力信号を用いて、前記情報の記録、再生及び消去のうち少なくとも記録を行なう処理装置と；を備える情報記録装置である。
【００３７】
これによれば、請求項１３〜１７のいずれか一項に記載のパワー制御装置を備えているため、高コスト化を招くことなく、高速記録においても発光パワーを精度良く制御することができる。従って、記録品質に優れた記録を高速度で行うことができる。
【００３８】
【発明の実施の形態】
以下、本発明の一実施形態を図１〜図１５（Ｂ）に基づいて説明する。図１には、本発明の一実施形態に係る情報記録装置としての光ディスク装置２０の概略構成が示されている。
【００３９】
この図１に示される光ディスク装置２０は、情報記録媒体としての光ディスク１５を回転駆動するためのスピンドルモータ２２、光ピックアップ装置２３、パワー制御装置としてのレーザコントロール回路２４、エンコーダ２５、モータドライバ２７、再生信号処理回路２８、サーボコントローラ３３、バッファＲＡＭ３４、バッファマネージャ３７、インターフェース３８、フラッシュメモリ３９、ＣＰＵ４０、及びＲＡＭ４１などを備えている。なお、図１における接続線は、代表的な信号や情報の流れを示すものであり、各ブロックの接続関係の全てを表すものではない。また、本実施形態では、一例として光ディスク１５はＤＶＤの規格に準拠した相変化型ディスクであるものとする。
【００４０】
前記光ピックアップ装置２３は、レーザ光を出射するとともに、記録面からの反射光を受光するための装置である。この光ピックアップ装置２３は、一例として図２に示されるように、光源ユニット５１、コリメートレンズ５２、ビームスプリッタ５４、対物レンズ６０、第１の検出レンズ５８、光検出器としての第１の受光器５９、反射ミラー７１、第２の検出レンズ７２、第２の受光器７３、及び駆動系（フォーカシングアクチュエータ、トラッキングアクチュエータ及びシークモータ（いずれも図示省略））などを備えている。
【００４１】
前記光源ユニット５１は、波長が６６０ｎｍのレーザ光を発光する光源としての半導体レーザ５１ａを含んで構成されている。なお、本実施形態では、光源ユニット５１から出射される光束の最大強度出射方向を＋Ｘ方向とする。前記コリメートレンズ５２は、光源ユニット５１の＋Ｘ側に配置され、光源ユニット５１から出射された光束を略平行光とする。
【００４２】
前記反射ミラー７１は、コリメートレンズ５２の近傍に配置され、光源ユニット５１から出射された光束の一部をモニタ用光束として−Ｚ方向に反射する。
【００４３】
前記ビームスプリッタ５４は、コリメートレンズ５２の＋Ｘ側に配置され、光ディスク１５からの戻り光束を−Ｚ方向に分岐する。前記対物レンズ６０は、ビームスプリッタ５４の＋Ｘ側に配置され、ビームスプリッタ５４を透過した光束を光ディスク１５の記録面に集光する。
【００４４】
前記第１の検出レンズ５８は、ビームスプリッタ５４の−Ｚ側に配置され、ビームスプリッタ５４で−Ｚ方向に分岐された戻り光束を前記第１の受光器５９の受光面に集光する。第１の受光器５９は、通常の光ディスク装置と同様に、ウォブル信号情報、再生データ情報、フォーカスエラー情報及びトラックエラー情報などを含む信号を出力する複数の受光素子を含んで構成されている。
【００４５】
前記第２の検出レンズ７２は、反射ミラー７１の−Ｚ側に配置され、反射ミラー７１で−Ｚ方向に反射されたモニタ用光束を前記第２の受光器７３の受光面に集光する。第２の受光器７３としては通常の受光素子が用いられる。
【００４６】
上記のように構成される光ピックアップ装置２３の作用を簡単に説明すると、光源ユニット５１から出射された光束（以下「出射光束」ともいう）は、コリメートレンズ５２で略平行光とされた後、ビームスプリッタ５４に入射する。ビームスプリッタ５４を透過した出射光束は、対物レンズ６０を介して光ディスク１５の記録面に微小スポットとして集光される。光ディスク１５の記録面にて反射した反射光は、戻り光束として対物レンズ６０で略平行光とされ、ビームスプリッタ５４に入射する。ビームスプリッタ５４で−Ｚ方向に分岐された戻り光束は、第１の検出レンズ５８を介して第１の受光器５９で受光される。第１の受光器５９からは受光量に応じた信号が出力され、再生信号処理回路２８に出力される。また、反射ミラー７１で−Ｚ方向に反射された出射光束はモニタ用光束として、第２の検出レンズ７２を介して第２の受光器７３で受光される。第２の受光器７３からは受光量に応じた信号が出力され、その信号はパワーモニタ信号としてレーザコントロール回路２４に出力される。
【００４７】
前記再生信号処理回路２８は、図３に示されるように、Ｉ／Ｖアンプ２８ａ、サーボ信号検出回路２８ｂ、ウォブル信号検出回路２８ｃ、ＲＦ信号検出回路２８ｄ及びデコーダ２８ｅなどから構成されている。
【００４８】
Ｉ／Ｖアンプ２８ａは、光ピックアップ装置２３の出力信号である電流信号を電圧信号に変換するとともに、所定のゲインで増幅する。サーボ信号検出回路２８ｂは、Ｉ／Ｖアンプ２８ａの出力信号に基づいてサーボ信号（フォーカスエラー信号及びトラックエラー信号など）を検出する。ウォブル信号検出回路２８ｃは、Ｉ／Ｖアンプ２８ａの出力信号に基づいてウォブル信号を検出する。ＲＦ信号検出回路２８ｄは、Ｉ／Ｖアンプ２８ａの出力信号に基づいてＲＦ信号を検出する。
【００４９】
デコーダ２８ｅは、ウォブル信号検出回路２８ｃで検出されたウォブル信号から、ＡＤＩＰ（Ａｄｄｒｅｓｓ  Ｉｎ  Ｐｒｅｇｒｏｏｖｅ）情報及び同期信号などを抽出する。ここで抽出されたＡＤＩＰ情報はＣＰＵ４０に出力され、同期信号はエンコーダ２５に出力される。また、デコーダ２８ｅは、ＲＦ信号検出回路２８ｄで検出されたＲＦ信号に対して復号処理及び誤り訂正処理等を行なった後、再生データとしてバッファマネージャ３７を介してバッファＲＡＭ３４に格納する。なお、再生データが音楽データの場合には外部のオーディオ機器などに出力される。
【００５０】
図１に戻り、前記サーボコントローラ３３は、再生信号処理回路２８からのフォーカスエラー信号に基づいてフォーカスずれを補正するためのフォーカス制御信号を生成し、トラックエラー信号に基づいてトラックずれを補正するためのトラッキング制御信号を生成する。ここで生成された各制御信号はそれぞれモータドライバ２７に出力される。
【００５１】
前記モータドライバ２７は、サーボコントローラ３３からのフォーカス制御信号に基づいて、フォーカシングアクチュエータの駆動信号を光ピックアップ装置２３に出力する。また、モータドライバ２７は、サーボコントローラ３３からのトラッキング制御信号に基づいて、トラッキングアクチュエータの駆動信号を光ピックアップ装置２３に出力する。すなわち、サーボ信号検出回路２８ｂ、サーボコントローラ３３及びモータドライバ２７によってトラッキング制御及びフォーカス制御が行われる。さらに、モータドライバ２７は、ＣＰＵ４０からの制御信号に基づいてスピンドルモータ２２及びシークモータにそれぞれ駆動信号を出力する。
【００５２】
前記バッファＲＡＭ３４には、光ディスク１５に記録するユーザデータ、及び光ディスク１５から読み出した再生データなどが格納される。
【００５３】
前記バッファマネージャ３７は、バッファＲＡＭ３４へのデータの入出力を管理し、蓄積されたデータ量が所定の値になると、ＣＰＵ４０に通知する。
【００５４】
前記エンコーダ２５は、ＣＰＵ４０の指示に基づいて、バッファＲＡＭ３４に蓄積されているユーザデータをバッファマネージャ３７を介して取り出し、データ変調及びエラー訂正コードの付加などを行ない、光ディスク１５への書き込み信号を生成するとともに、再生信号処理回路２８からの同期信号に同期して、書き込み信号をレーザコントロール回路２４に出力する。
【００５５】
前記レーザコントロール回路２４は、エンコーダ２５からの書き込み信号及びＣＰＵ４０の指示に基づいて、半導体レーザ５１ａの駆動信号を生成する。なお、このレーザコントロール回路２４の構成等については後に詳述する。
【００５６】
前記インターフェース３８は、ホストとの双方向の通信インターフェースであり、ＡＴＡＰＩ（ＡＴ  Ａｔｔａｃｈｍｅｎｔ  Ｐａｃｋｅｔ  Ｉｎｔｅｒｆａｃｅ）の規格に準拠している。
【００５７】
前記フラッシュメモリ３９はプログラム領域とデータ領域とを備えており、プログラム領域には、ＣＰＵ４０にて解読可能なコードで記述されたプログラムが格納されている。データ領域には、半導体レーザ５１ａのＩ−Ｌ特性に関する情報、及び記録ストラテジ情報などが格納されている。
【００５８】
前記ＣＰＵ４０は、フラッシュメモリ３９のプログラム領域に格納されているプログラムに従って上記各部の動作を制御するとともに、制御に必要なデータなどを一時的にＲＡＭ４１及びフラッシュメモリ３９のデータ領域に保存する。
【００５９】
次に、前記レーザコントロール回路２４の構成等について図４〜図６を用いて説明する。このレーザコントロール回路２４は、図４に示されるように、制御部２４１、照射レベル設定部２４２、変調信号生成部２４３、付加電流生成部２４４、ＬＤ制御部２４５、変調部２４６、加減算部２４７及び増幅部２４８などを備えている。なお、図４における接続線は、代表的な信号や情報の流れを示すものであり、各ブロックの接続関係の全てを表すものではない。
【００６０】
前記制御部２４１は、ＣＰＵ４０、エンコーダ２５及び再生信号処理回路２８からの各種信号を受信し、受信内容に応じて上記各部を制御する。
【００６１】
前記照射レベル設定部２４２は、ＣＰＵ４０の指示に基づいて、ボトムパワーＰｂ、イレーズパワーＰｅ及びライトパワーＰｗを設定し、パワー信号Ｐ０Ｄａｔａ、Ｐ１Ｄａｔａ、及びＰ２Ｄａｔａを出力する。ここで、Ｐ０ＤａｔａはボトムパワーＰｂに対応するパワー信号である。Ｐ１ＤａｔａはイレーズパワーＰｅとボトムパワーＰｂとの差に対応するパワー信号である。Ｐ２ＤａｔａはライトパワーＰｗとボトムパワーＰｂとの差に対応するパワー信号である。
【００６２】
前記変調信号生成部２４３は、制御部２４１を介したエンコーダ２５からの書き込み信号Ｗｄａｔａと再生信号処理回路２８からの記録クロック信号Ｗｃｋとに基づいて、変調信号Ｍｏｄ１及び変調信号Ｍｏｄ２を生成する。ここで生成された各変調信号は、それぞれ変調部２４６に出力される。また、変調信号生成部２４３は、スペース長及びマーク長に関する情報を含むデータ特性信号、各変調信号の立ち上がり及び立下りのタイミング情報を含むタイミング信号、を生成し、それぞれ付加電流生成部２４４に出力する。さらに、変調信号生成部２４３には、クロックの位相を調整するための位相調整回路１１０（図１５（Ａ）参照）が設けられている。この位相調整回路１１０については後で詳述する。
【００６３】
前記ＬＤ制御部２４５は、前記第２の受光器７３からのパワーモニタ信号に基づいて、光源ユニット５１から出射される光束の光量変動を調整するためのバイアス信号Ｉｂｉａｓ、及び後述する駆動信号Ｉｄｒｖのスケールを指示するスケール信号Ｉｓｃｌを生成する。ここで生成されたバイアス信号Ｉｂｉａｓは加減算部２４７に出力され、スケール信号Ｉｓｃｌは変調部２４６及び付加電流生成部２４４に出力される。なお、バイアス信号Ｉｂｉａｓは半導体レーザ５１ａのＩ−Ｌ特性における閾値電流とほぼ一致するように設定される。また、スケール信号Ｉｓｃｌは半導体レーザ５１ａの微分量子効率（微分効率）に基づいて設定される。
【００６４】
前記変調部２４６は、図５に示されるように、３つのＤ／Ａ変換器（２４６ａ，２４６ｂ，２３６ｃ）、２つのオンオフスイッチ（ＳＷ１，ＳＷ２）、及び電流加算器２４６ｄなどを備えている。
【００６５】
各Ｄ／Ａ変換器は、それぞれＬＤ制御部２４５からのスケール信号Ｉｓｃｌにより指示されたスケールで、照射レベル設定部２４２からの各パワー信号をアナログ信号に変換する。ここでは、Ｄ／Ａ変換器２４６ａがパワー信号Ｐ０Ｄａｔａをアナログ信号Ｉ０に変換し、Ｄ／Ａ変換器２４６ｂがパワー信号Ｐ１Ｄａｔａをアナログ信号Ｉ１に変換し、Ｄ／Ａ変換器２４６ｃがパワー信号Ｐ２Ｄａｔａをアナログ信号Ｉ２に変換する。すなわち、信号Ｉ０はボトムパワーＰｂに対応する電流信号、信号Ｉ１はイレーズパワーＰｅとボトムパワーＰｂとの差に対応する電流信号、信号Ｉ２はライトパワーＰｗとボトムパワーＰｂとの差に対応する電流信号である。
【００６６】
オンオフスイッチＳＷ１は、Ｄ／Ａ変換器２４６ｂの出力段に配置され、変調信号生成部２４３からの変調信号Ｍｏｄ１に同期して、電流信号Ｉ１の電流加算器２４６ｄへの供給をオン／オフする。すなわち、電流信号Ｉ１はオンオフスイッチＳＷ１がオン状態のときにのみ電流加算器２４６ｄに供給される。ここでは、オンオフスイッチＳＷ１は、変調信号Ｍｏｄ１が１のときにオン状態となり、０のときにオフ状態となるように設定されているものとする。
【００６７】
オンオフスイッチＳＷ２は、Ｄ／Ａ変換器２４６ｃの出力段に配置され、変調信号生成部２４３からの変調信号Ｍｏｄ２に同期して、電流信号Ｉ２の電流加算器２４６ｄへの供給をオン／オフする。すなわち、電流信号Ｉ２はオンオフスイッチＳＷ２がオン状態のときにのみ電流加算器２４６ｄに供給される。ここでは、オンオフスイッチＳＷ２は、変調信号Ｍｏｄ２が１のときにオン状態となり、０のときにオフ状態となるように設定されているものとする。
【００６８】
電流加算器２４６ｄは、Ｄ／Ａ変換器２４６ａの出力信号、オンオフスイッチＳＷ１の出力信号及びオンオフスイッチＳＷ２の出力信号をそれぞれ加算し、加算結果をＬＤ変調電流信号Ｉｍｏｄとして出力する。すなわち、各オンオフスイッチがオフ状態であれば、電流信号Ｉ０がＬＤ変調電流信号Ｉｍｏｄとして出力される。オンオフスイッチＳＷ１のみがオン状態であれば、電流信号（Ｉ０＋Ｉ１）がＬＤ変調電流信号Ｉｍｏｄとして出力される。オンオフスイッチＳＷ２のみがオン状態であれば、電流信号（Ｉ０＋Ｉ２）がＬＤ変調電流信号Ｉｍｏｄとして出力される。
【００６９】
前記付加電流生成部２４４は、図６に示されるように、付加時間設定部２４４ａ、付加信号生成部２４４ｂ、付加パワー設定部２４４ｃ、２つのＤ／Ａ変換器（２４４ｄ，２４４ｅ）、及び２つのオンオフスイッチ（ＳＷ３，ＳＷ４）などを備えている。
【００７０】
付加パワー設定部２４４ｃは、一例として図７に示されるように、ライトパワーＰｗに加算するパワー（以下「オーバーシュートパワー」という）Ｐｏｓに対応するオーバーシュート電流信号、及びボトムパワーＰｂから減算するパワー（以下「アンダーシュートパワー」という）Ｐｕｓに対応するアンダーシュート電流信号の信号レベルをそれぞれ設定し、オーバーシュート電流信号に対応するオーバーシュート信号Ｐ３Ｄａｔａ、及びアンダーシュート電流信号に対応するアンダーシュート信号Ｐ４Ｄａｔａを出力する。
【００７１】
図６に戻り、Ｄ／Ａ変換器２４４ｄは、ＬＤ制御部２４５からのスケール信号Ｉｓｃｌにより指示されたスケールで、付加パワー設定部２４４ｃからのオーバーシュート信号Ｐ３Ｄａｔａをアナログ信号Ｉｏｓに変換する。Ｄ／Ａ変換器２４４ｅは、ＬＤ制御部２４５からのスケール信号Ｉｓｃｌにより指示されたスケールで、付加パワー設定部２４４ｃからのアンダーシュート信号Ｐ４Ｄａｔａをアナログ信号Ｉｕｓに変換する。すなわち、信号Ｉｏｓがオーバーシュート電流信号であり、Ｉｕｓがアンダーシュート電流信号である。
【００７２】
付加時間設定部２４４ａは、変調信号生成部２４３からの前記データ特性信号に基づいて、オーバーシュート電流信号Ｉｏｓの加算時間及びアンダーシュート電流信号Ｉｕｓの減算時間をそれぞれ設定する（図７参照）。なお、以下では、便宜上、加算時間及び減算時間を総称して付加時間ともいう。
【００７３】
付加信号生成部２４４ｂは、変調信号生成部２４３からの前記タイミング信号と付加時間設定部２４４ａで設定された加算時間とに基づいて、オーバーシュート付加信号ＭｏｄＯを生成する。また、付加信号生成部２４４ｂは、変調信号生成部２４３からのタイミング信号と付加時間設定部２４４ａで設定された減算時間とに基づいて、アンダーシュート付加信号ＭｏｄＵを生成する。
【００７４】
オンオフスイッチＳＷ３は、Ｄ／Ａ変換器２４４ｄの出力段に配置され、付加信号生成部２４４ｂからのオーバーシュート付加信号ＭｏｄＯに同期して、オーバーシュート電流信号Ｉｏｓの加減算部２４７への供給をオン／オフする。すなわち、オーバーシュート電流信号ＩｏｓはオンオフスイッチＳＷ３がオン状態のときにのみ加減算部２４７に供給される。ここでは、オンオフスイッチＳＷ３は、オーバーシュート付加信号ＭｏｄＯが１のときにオン状態となり、０のときにオフ状態となるように設定されているものとする。
【００７５】
オンオフスイッチＳＷ４は、Ｄ／Ａ変換器２４４ｅの出力段に配置され、付加信号生成部２４４ｂからのアンダーシュート付加信号ＭｏｄＵに同期して、アンダーシュート電流信号Ｉｕｓの加減算部２４７への供給をオン／オフする。すなわち、アンダーシュート電流信号ＩｕｓはオンオフスイッチＳＷ４がオン状態のときにのみ加減算部２４７に供給される。ここでは、オンオフスイッチＳＷ４は、アンダーシュート付加信号ＭｏｄＵが１のときにオン状態となり、０のときにオフ状態となるように設定されているものとする。
【００７６】
図４に戻り、前記加減算部２４７は、変調部２４６からのＬＤ変調電流信号Ｉｍｏｄ、ＬＤ制御部２４５からのバイアス信号Ｉｂｉａｓ及びオンオフスイッチＳＷ３の出力信号をそれぞれ加算するとともに、オンオフスイッチＳＷ４の出力信号を減算する。すなわち、オンオフスイッチＳＷ３及びオンオフスイッチＳＷ４がオフ状態であれば、加減算部２４７からは（Ｉｍｏｄ＋Ｉｂｉａｓ）が出力される。オンオフスイッチＳＷ３のみがオン状態であれば、加減算部２４７からは（Ｉｍｏｄ＋Ｉｂｉａｓ＋Ｉｏｓ）が出力される。オンオフスイッチＳＷ４のみがオン状態であれば、加減算部２４７からは（Ｉｍｏｄ＋Ｉｂｉａｓ−Ｉｕｓ）が出力される。なお、オンオフスイッチＳＷ３とオンオフスイッチＳＷ４とが同時にオン状態となることはない。
【００７７】
前記増幅部２４８は、加減算部２４７の出力信号Ｉｄを所定のゲインで増幅し、半導体レーザ５１ａの駆動信号Ｉｄｒｖとして光ピックアップ２３に出力する。
【００７８】
次に、上記のように構成されるレーザコントロール回路２４の作用を図８〜図１０を用いて説明する。ここでは、一例として図８に示されるように、記録ストラテジ情報に基づいて、書き込み信号Ｗｄａｔａにおけるマーク部Ｍに対応する発光パワーが、４つの加熱パルス（ＨＰ１，ＨＰ２，ＨＰ３，ＨＰ４）と４つの冷却パルス（ＣＰ１，ＣＰ２，ＣＰ３，ＣＰ４）とから構成されるようにマルチパルス化されるものとする。Ｔｄは最初の加熱パルスＨＰ１の遅延時間である。Ｔｈ１は加熱パルスＨＰ１のパルス幅、Ｔｈ２は加熱パルスＨＰ２のパルス幅、Ｔｈ３は加熱パルスＨＰ３のパルス幅、Ｔｈ４は最終の加熱パルスＨＰ４のパルス幅である。
Ｔｃ１は最初の冷却パルスＣＰ１のパルス幅、Ｔｃ２は冷却パルスＣＰ２のパルス幅、Ｔｃ３は冷却パルスＣＰ３のパルス幅である。Ｔｏ１〜Ｔｏ４はそれぞれオーバーシュートパワーの加算時間であり、Ｔｕ１〜Ｔｕ４はそれぞれアンダーシュートパワーの減算時間である。なお、Ｔｏ１＜Ｔｈ１、Ｔｏ２＜Ｔｈ２、Ｔｏ３＜Ｔｈ３、Ｔｏ４＜Ｔｈ４、Ｔｕ１＜Ｔｃ１、Ｔｕ２＜Ｔｃ２、及びＴｕ３＜Ｔｃ３、の関係がある。
【００７９】
１．図９に示されるように、書き込み信号Ｗｄａｔａが０から１に変化した後、時間Ｔｄが経過すると、変調信号生成部２４３はＭｏｄ１を０に変更し、Ｍｏｄ２を１に変更する。それと同時に、付加信号生成部２４４ｂはＭｏｄＯを１に変更する。これにより、レーザコントロール回路２４の出力信号Ｉｄｒｖは（Ｉ０＋Ｉ２＋Ｉｏｓ）、すなわち発光パワーは（Ｐｗ＋Ｐｏｓ）となる。
【００８０】
２．ＭｏｄＯが１に変更されてから時間Ｔｏ１が経過すると、付加信号生成部２４４ｂはＭｏｄＯを０に変更する。これにより、レーザコントロール回路２４の出力信号Ｉｄｒｖは（Ｉ０＋Ｉ２）、すなわち発光パワーはＰｗとなる。
【００８１】
３．Ｍｏｄ２が１に変更されてから時間Ｔｈ１が経過すると、変調信号生成部２４３はＭｏｄ２を０に変更する。それと同時に、付加信号生成部２４４ｂはＭｏｄＵを１に変更する。これにより、レーザコントロール回路２４の出力信号Ｉｄｒｖは（Ｉ０−Ｉｕｓ）、すなわち発光パワーは（Ｐｂ−Ｐｕｓ）となる。
【００８２】
４．ＭｏｄＵが１に変更されてから時間Ｔｕ１が経過すると、付加信号生成部２４４ｂはＭｏｄＵを０に変更する。これにより、レーザコントロール回路２４の出力信号ＩｄｒｖはＩ０、すなわち発光パワーはＰｂとなる。
【００８３】
５．Ｍｏｄ２が０に変更されてから時間Ｔｃ１が経過すると、変調信号生成部２４３はＭｏｄ２を１に変更する。それと同時に、付加信号生成部２４４ｂはＭｏｄＯを１に変更する。これにより、レーザコントロール回路２４の出力信号Ｉｄｒｖは（Ｉ０＋Ｉ２＋Ｉｏｓ）、すなわち発光パワーはＰｗ＋Ｐｏｓとなる。
【００８４】
６．ＭｏｄＯが１に変更されてから時間Ｔｏ２が経過すると、付加信号生成部２４４ｂはＭｏｄＯを０に変更する。これにより、レーザコントロール回路２４の出力信号Ｉｄｒｖは（Ｉ０＋Ｉ２）、すなわち発光パワーはＰｗとなる。
【００８５】
７．Ｍｏｄ２が１に変更されてから時間Ｔｈ２が経過すると、変調信号生成部２４３はＭｏｄ２を０に変更する。それと同時に、付加信号生成部２４４ｂはＭｏｄＵを１に変更する。これにより、レーザコントロール回路２４の出力信号Ｉｄｒｖは（Ｉ０−Ｉｕｓ）、すなわち発光パワーはＰｂ−Ｐｕｓとなる。
【００８６】
８．ＭｏｄＵを１に変更してから時間Ｔｕ２が経過すると、付加信号生成部２４４ｂはＭｏｄＵを０に変更する。これにより、レーザコントロール回路２４の出力信号ＩｄｒｖはＩ０、すなわち発光パワーはＰｂとなる。
【００８７】
９．Ｍｏｄ２が０に変更されてから時間Ｔｃ２が経過すると、変調信号生成部２４３はＭｏｄ２を１に変更する。それと同時に、付加信号生成部２４４ｂはＭｏｄＯを１に変更する。これにより、レーザコントロール回路２４の出力信号Ｉｄｒｖは（Ｉ０＋Ｉ２＋Ｉｏｓ）、すなわち発光パワーはＰｗ＋Ｐｏｓとなる。
【００８８】
１０．ＭｏｄＯが１に変更されてから時間Ｔｏ３が経過すると、付加信号生成部２４４ｂはＭｏｄＯを０に変更する。これにより、レーザコントロール回路２４の出力信号Ｉｄｒｖは（Ｉ０＋Ｉ２）、すなわち発光パワーはＰｗとなる。
【００８９】
１１．Ｍｏｄ２が１に変更されてから時間Ｔｈ３が経過すると、変調信号生成部２４３はＭｏｄ２を０に変更する。それと同時に、付加信号生成部２４４ｂはＭｏｄＵを１に変更する。これにより、レーザコントロール回路２４の出力信号Ｉｄｒｖは（Ｉ０−Ｉｕｓ）、すなわち発光パワーはＰｂ−Ｐｕｓとなる。
【００９０】
１２．ＭｏｄＵが１に変更されてから時間Ｔｕ３が経過すると、付加信号生成部２４４ｂはＭｏｄＵを０に変更する。これにより、レーザコントロール回路２４の出力信号ＩｄｒｖはＩ０、すなわち発光パワーはＰｂとなる。
【００９１】
１３．Ｍｏｄ２が０に変更されてから時間Ｔｃ３が経過すると、変調信号生成部２４３はＭｏｄ２を１に変更する。それと同時に、付加信号生成部２４４ｂはＭｏｄＯを０から１に変更する。これにより、レーザコントロール回路２４の出力信号Ｉｄｒｖは（Ｉ０＋Ｉ２＋Ｉｏｓ）、すなわち発光パワーはＰｗ＋Ｐｏｓとなる。
【００９２】
１４．ＭｏｄＯが１に変更されてから時間Ｔｏ４が経過すると、付加信号生成部２４４ｂはＭｏｄＯを０に変更する。これにより、レーザコントロール回路２４の出力信号Ｉｄｒｖは（Ｉ０＋Ｉ２）、すなわち発光パワーはＰｗとなる。
【００９３】
１５．Ｍｏｄ２が１に変更されてから時間Ｔｈ４が経過すると、変調信号生成部２４３はＭｏｄ２を０に変更する。それと同時に、付加信号生成部２４４ｂはＭｏｄＵを０から１に変更する。これにより、レーザコントロール回路２４の出力信号Ｉｄｒｖは（Ｉ０−Ｉｕｓ）、すなわち発光パワーはＰｂ−Ｐｕｓとなる。
【００９４】
１６．ＭｏｄＵが１に変更されてから時間Ｔｕ４が経過すると、付加信号生成部２４４ｂはＭｏｄＵを０に変更する。これにより、レーザコントロール回路２４の出力信号ＩｄｒｖはＩ０、すなわち発光パワーはＰｂとなる。
【００９５】
１７．書き込み信号Ｗｄａｔａが１から０に変化すると、変調信号生成部２４３はＭｏｄ１を１に変更する。これにより、レーザコントロール回路２４の出力信号Ｉｄｒｖは（Ｉ０＋Ｉ１）、すなわち発光パワーはＰｅとなる。
【００９６】
従って、光ディスク１５の記録面には、一例として図１０に示されるように、先頭の加熱パルスＨＰ１によって形成された領域Ｒ１、２番目の加熱パルスＨＰ２によって形成された領域Ｒ２、３番目の加熱パルスＨＰ３によって形成された領域Ｒ３、及び最後の加熱パルスＨＰ４によって形成された領域Ｒ４が連続し、１つのマーク領域となる。
【００９７】
ここで、オーバーシュートパワーＰｏｓの効果について、図１１（Ａ）〜図１２（Ｃ）を用いて説明する。オーバーシュートパワーＰｏｓが付加されていない場合には、一例として図１１（Ａ）に示されるように、照射エネルギは発光パルスの立ち上がり時から一定の割合（Ｇ０とする）で増加する。オーバーシュートパワーＰｏｓが付加されると、一例として図１１（Ｂ）〜図１１（Ｄ）に示されるように、照射エネルギの増加率は加算時間内ではＧ０よりも大きくなり、加算時間経過後にＧ０となる。従って、１加熱パルス当りの照射エネルギ（以下、「積算照射エネルギ」という）は、加算時間に応じて増加することとなる。ここでは、加算時間がＴｓのときの積算照射エネルギの増分をΔＥ１、加算時間が２Ｔｓのときの積算照射エネルギの増分をΔＥ２、加算時間が３Ｔｓのときの積算照射エネルギの増分をΔＥ３とする。
【００９８】
一方、パルス調整処理として一般的に行われている立ち上がりタイミングを早める方法では、一例として図１２（Ａ）〜図１２（Ｃ）に示されるように、照射エネルギの増加開始時間が立ち上がりタイミングに応じて早くなり、照射エネルギの増加率はＧ０のままである。ここで、立ち上がりタイミングをＴｓだけ早めたときの積算照射エネルギの増分をΔＥ４、立ち上がりタイミングを２Ｔｓだけ早めたときの積算照射エネルギの増分をΔＥ５、立ち上がりタイミングを３Ｔｓだけ早めたときの積算照射エネルギの増分をΔＥ６とすると、図１１（Ｂ）〜図１１（Ｄ）及び図１２（Ａ）〜図１２（Ｃ）から明らかなように、ΔＥ１≪ΔＥ４、ΔＥ２≪ΔＥ５、ΔＥ３≪ΔＥ６である。すなわち、オーバーシュートパワーを付加するほうが立ち上がりタイミングを早めるよりも、時間に対する積算照射エネルギの分解能が高いため、積算照射エネルギの微少変化を精度良く制御することが可能となる。従って、時間分解能を上げることなく記録速度の高速化に対応することができる。
【００９９】
同様に、アンダーシュートパワーＰｕｓの効果についても、冷却パルスのパルス幅を調整するよりも冷却速度を精度良く調整することが可能となる。
【０１００】
次に、半導体レーザ５１ａの接合容量に起因して発光パワーの立上がり及び立下がりに遅れ（なまり）が生じる場合について説明する。この場合には、付加時間設定部２４４ａにて設定される付加時間に対して、接合容量による充放電を考慮した追加時間を設定すれば良い。
【０１０１】
例えば図１３（Ａ）に示されるように発光パワーの立上がりに遅れが生じる場合には、追加時間をΔｔｏｓとすれば、Δｔｏｓ・Ｉｏｓが接合容量への充電電流とほぼ一致するようにΔｔｏｓを設定し、オーバーシュートパワーの加算時間に加えると良い。これにより、一例として図１３（Ｂ）〜図１３（Ｄ）に示されるように、発光パワーの立上がりの遅れが改善される。なお、図１３（Ｂ）は加算時間が０の場合について示されている。この場合には、オーバーシュート電流Ｉｏｓの殆どが充電電流に充当される。また、図１３（Ｃ）及び図１３（Ｄ）は、それぞれ加算時間（図１３（Ｃ）＜図１３（Ｄ））に追加時間Δｔｏｓを加えた場合について示されている。この場合は、オーバーシュート電流Ｉｏｓの一部が充電電流に充当され、残りがオーバーシュートパワー分となる。
【０１０２】
立下がりの遅れについては、アンダーシュートパワーの減算時間への追加時間をΔｔｕｓとすれば、Δｔｕｓ・Ｉｕｓが接合容量の放電電流とほぼ一致するようにΔｔｕｓを設定すれば良い。
【０１０３】
なお、付加時間設定部２４４ａにおいて、追加時間を考慮してオーバーシュートパワーの加算時間及びアンダーシュートパワーの減算時間を設定しても良い。
【０１０４】
また、発光パワーの立上がり及び立下がりの遅れを改善するために、前述した付加時間を調整する代わりに、あるいは付加時間の調整とともに、付加パワー設定部２４４Ｃから出力されるオーバーシュート信号Ｐ３Ｄａｔａ及びアンダーシュート信号Ｐ４Ｄａｔａを調整しても良い。この場合には、半導体レーザ５１ａにおける充放電電流の充当分を予め計測しておき、付加パワー設定部２４４Ｃでは、オーバーシュートパワー分及びアンダーシュートパワー分に過不足が生じないようにオーバーシュート電流及びアンダーシュート電流を設定することとなる。
【０１０５】
さらに、変化する照射レベル差に応じて、オーバーシュート電流信号Ｉｏｓ及びアンダーシュート電流信号Ｉｕｓの電流値あるいは付加時間を変更しても良い。つまり、照射レベル差（例えば、Ｐｅ→Ｐｗ、Ｐｂ→Ｐｗ、Ｐｂ→Ｐｅ）の違いにより、半導体レーザ５１ａのカソード・アノード間の電位差の変化量が異なるため、充放電電流も変化する。そこで、照射レベル差の違いに応じて付加時間を変更することにより、発光パワーの立上がり及び立下がり時間の遅れをより改善することができる。なお、オーバーシュート電流及びアンダーシュート電流の電流値を変更しても同様の効果が得られる。
【０１０６】
また、書き込み信号Ｗｄａｔａは、フレキシブルケーブル等を介してレーザコントロール回路２４に転送されるため、記録速度が高速になると、一例として図１４に示されるように、信号波形がなまる場合がある。このような波形の信号を、例えばＣＬＫ０で示される位相のクロックに同期して取り込むと、本来３Ｔであるはずのマーク部が４Ｔのマーク部として認識されてしまう。そこで、図１５（Ａ）に示されるように、制御部２４１からの制御信号（Ｓ０，Ｓ１，Ｓ２）によってクロックの位相を選択することができる位相調整回路１１０が変調信号生成部２４３に設けられている。この位相調整回路１１０は、位相比較器１１１、ＶＣＯ（Ｖｏｌｔａｇａ  Ｃｏｎｔｒｏｌｌｅｄ  Ｏｓｃｉｌｌａｔｏｒ）１１２、セレクタ１１３及びカウンタ１１４などを備えている。
【０１０７】
カウンタ１１４はそれぞれ位相が異なる８種類のクロック（ＣＬＫ０〜ＣＬＫ７：図１４参照）をセレクタ１１３に出力する。セレクタ１１３は制御部２４１からの制御信号（Ｓ０，Ｓ１，Ｓ２）に基づいて８種類のクロックの中からいずれかを選択し、位相比較器１１１に出力する。なお、ここでは、一例として図１５（Ｂ）に示されるように、各制御信号と選択されるクロックが設定されているものとする。そこで、制御部２４１はＳ０＝１、Ｓ１＝０、Ｓ２＝１とすることにより、ＣＬＫ５が選択される。位相比較器１１１はＷｃｋとセレクタ１１３からのＣＬＫ５を入力信号とし、Ｗｃｋの位相とＣＬＫ５の位相とを比較する。ＶＣＯ１１２は位相比較器１１１の出力信号に応じて発振周波数を変更する。ＶＣＯ１１２の出力信号（ここではＣＬＫ５）はカウンタ１１４を介して、変調信号Ｍｏｄ１及び変調信号Ｍｏｄ２を生成する回路（図示省略）に供給される。これにより、マーク部は正しく３Ｔと認識されることとなる（図１４参照）。ここで、制御信号（Ｓ０，Ｓ１，Ｓ２）の設定方法について、２つの方法を説明する。
【０１０８】
《第１の方法》
光ディスク装置に電源が投入されたとき、又は待機状態から稼動状態に移行したときに、制御部２４１は制御信号（Ｓ０，Ｓ１，Ｓ２）の値を変更しつつ、３Ｔのマーク部と３Ｔのスペース部とを含むテスト用信号を変調信号生成部２４３に送出する。変調信号生成部２４３は、テスト用信号を正しく認識することができた場合には所定のレジスタのフラグを「Ｈ」に設定し、正しく認識することができなかった場合には「Ｌ」に設定する。そして、制御部２４１は前記レジスタのフラグが「Ｈ」となるときの制御信号（Ｓ０，Ｓ１，Ｓ２）の値を適正値と判断する。
【０１０９】
《第２の方法》
光ディスク装置に電源が投入されたとき、又は待機状態から稼動状態に移行したときに、制御部２４１は制御信号（Ｓ０，Ｓ１，Ｓ２）の値を変更しつつ、３Ｔから１４Ｔまでのマーク部と３Ｔから１４Ｔまでのスペース部を含むテスト用信号を変調信号生成部２４３に送出する。変調信号生成部２４３は認識した結果を所定のレジスタに記録する。制御部２４１は前記レジスタの値が正しいときの制御信号（Ｓ０，Ｓ１，Ｓ２）の値を適正値と判断する。
【０１１０】
ここで、前述の如く構成される光ディスク装置２０において、光ディスク１５にデータを記録するときの処理動作について簡単に説明する。なお、制御信号（Ｓ０，Ｓ１，Ｓ２）の適正値はすでに得られているものとする。
【０１１１】
ＣＰＵ４０は、インターフェース３８を介してホストから記録要求コマンドを受信すると、記録速度に基づいてスピンドルモータ２２の回転を制御するための制御信号をモータドライバ２７に出力するとともに、記録要求コマンドを受信した旨を再生信号処理回路２８に通知する。また、ＣＰＵ４０はホストから受信したユーザデータのバッファＲＡＭ３４への蓄積をバッファマネージャ３７に指示する。
【０１１２】
光ディスク１５の回転が所定の線速度に達すると、前記トラッキング制御及びフォーカス制御が行われる。なお、トラッキング制御及びフォーカス制御は記録処理が終了するまで随時行われる。また、再生信号処理回路２８は、受光器５９の出力信号に基づいてＡＤＩＰ情報を取得し、ＣＰＵ４０に通知する。なお、再生信号処理回路２８は、記録処理が終了するまで所定のタイミング毎にＡＤＩＰ情報を取得し、ＣＰＵ４０に通知する。
【０１１３】
ＣＰＵ４０は、ＡＤＩＰ情報に基づいて書き込み開始地点に光ピックアップ装置２３が位置するようにシークモータを制御する信号をモータドライバ２７に出力する。さらに、ＣＰＵ４０は、バッファマネージャ３７からバッファＲＡＭ３４に蓄積されたユーザデータのデータ量が所定の量を超えたとの通知を受けると、エンコーダ２５に書き込み信号の生成を指示する。
【０１１４】
また、光ピックアップ装置２３が書き込み開始地点に到達すると、ＣＰＵ４０はエンコーダ２５に通知する。これにより、ユーザデータは、エンコーダ２５、レーザコントロール回路２４及び光ピックアップ装置２３を介して光ディスク１５に書き込まれる。この際、レーザコントロール回路２４では前記パワー制御が行われる。ホストから受信したユーザデータがすべて書き込まれると記録処理を終了する。
【０１１５】
次に、光ディスク装置２０において、光ディスク１５に記録されているファイルデータを再生するときの処理動作について簡単に説明する。
【０１１６】
ＣＰＵ４０は、インターフェース３８を介してホストからの再生要求コマンドを受信すると、再生速度に基づいてスピンドルモータ２２の回転を制御するための制御信号をモータドライバ２７に出力するとともに、再生要求コマンドを受信した旨を再生信号処理回路２８に通知する。
【０１１７】
光ディスク１５の回転が所定の線速度に達すると、前記トラッキング制御及びフォーカス制御が行われる。なお、トラッキング制御及びフォーカス制御は再生処理が終了するまで随時行われる。
【０１１８】
ＣＰＵ４０は、再生信号処理回路２８から所定のタイミング毎に出力されるＡＤＩＰ情報に基づいて、読み出し開始地点に光ピックアップ装置２３が位置するようにシークモータを制御する信号をモータドライバ２７に出力する。
【０１１９】
そして、光ピックアップ装置２３が読み出し開始地点に到達すると、ＣＰＵ４０は再生信号処理回路２８に通知する。これにより、再生信号処理回路２８は、受光器５９の出力信号からＲＦ信号を検出し、復号処理、誤り訂正処理等を行った後、再生データとしてバッファＲＡＭ３４に蓄積する。バッファマネージャ３７は、バッファＲＡＭ３４に蓄積された再生データがセクタデータとして揃ったときに、インターフェース３８を介してホスト５０に転送する。
【０１２０】
以上の説明から明らかなように、本実施形態に係る光ディスク装置では、ＣＰＵ４０と該ＣＰＵ４０にて実行されるプログラムとによって処理装置が実現されている。しかしながら、本発明がこれに限定されるものではないことは勿論である。すなわち、上記実施形態は一例に過ぎず、ＣＰＵ４０によるプログラムに従う上記処理によって実現した構成各部の少なくとも一部をハードウェアによって構成することとしても良いし、あるいは全ての構成部分をハードウェアによって構成することとしても良い。
【０１２１】
そして、レーザコントロール回路２４における処理動作によって本発明に係るパワー制御方法が実施されている。
【０１２２】
以上説明したように、本実施形態に係る光ディスク装置２３によると、光ディスク１５にデータを記録する際に、記録クロック信号Ｗｃｋに同期し、互いに異なる位相を有する複数のタイミング信号の中から選択されたタイミング信号に基づいて書き込み信号に含まれるマーク領域及びスペース領域に関する情報を復元している。そこで記録速度が高速になり、書き込み信号におけるマーク領域とスペース領域との境界位置が明瞭でない場合であっても、タイミング信号の位相をずらすことにより不明瞭な部分を避けることができるため、書き込み信号に含まれるマーク領域及びスペース領域に関する情報を正しく復元することが可能となる。従って、結果として高コスト化を招くことなく、高速記録においても発光パワーを精度良く制御することができる。
【０１２３】
また、本実施形態によると、ライトパワーにオーバーシュートパワー（第１の値）を付加時間設定部２２４ａで設定された加算時間（第１の時間）だけ加算しているために、従来よりも積算照射エネルギーの制御分解能を向上させることが可能となる。従って、結果として高コスト化を招くことなく、高速記録においても発光パワーを精度良く制御することができる。
【０１２４】
また、本実施形態によると、ボトムパワーからアンダーシュートパワー（第２の値）を付加時間設定部２２４ａで設定された減算時間（第２の時間）だけ減算しているために、従来よりも冷却速度を精度良く制御することが可能となる。
【０１２５】
なお、一例として図１６に示されるように書き込み信号Ｗｄａｔａの立上り波形と立下り波形とが非対称であり、さらに２値化するときのスライスレベルが信号振幅の中心ではないときには、書き込み信号に含まれるマーク領域及びスペース領域に関する情報を正しく復元することができない場合がある。ここでは、ＶＣＬＫはＷｃｋのＮ逓倍のクロック（図１６ではＮ＝８）であり、書き込み信号Ｗｄａｔａが３Ｔのマーク部と４Ｔのスペース部とから構成されるものとする。そして、ＶＣＬＫを基準とすると、「Ｈ」部分が２４サイクル、「Ｌ」部分が３２サイクルとなることが理想的であるが、図１６に示されるように信号波形がなまっているときには、「Ｈ」部分が２８サイクル、「Ｌ」部分が２８サイクルと認識される。そこで、図１７に示されるように、記録クロック信号ＷｃｋをＮ（Ｎ≧２）逓倍して高周波クロック信号を生成する高周波クロック信号生成手段としてのＰＬＬ（Ｐｈａｓｅ  Ｌｏｃｋｅｄ  Ｌｏｏｐ）回路１２０、「Ｈ」部分及び「Ｌ」部分を計数するためのカウンタを備えた補正回路１３０を変調信号生成部２４３に設けることにより、書き込み信号に含まれるマーク領域及びスペース領域に関する情報を正しく復元することが可能となる。以下、この補正回路１３０の構成及び作用について説明する。
【０１２６】
ＰＬＬ回路１２０は、位相比較器１２１、ＶＣＯ１２２及び１／Ｎ分周器１２３などを備えている。そして、位相比較器１２１には基準周波数の信号としてＷｃｋが制御部２４１から供給されている。
【０１２７】
補正回路１３０は、Ｈカウンタ１３１、Ｌカウンタ１３２、２つの加算器（１３３，１３４）、マーク検出回路１３５及びスペース検出回路１３６などを備えている。
【０１２８】
Ｈカウンタ１３１はＰＬＬ回路１２０からのクロック信号ＶＣＬＫに基づいて書き込み信号Ｗｄａｔａに含まれるマーク部のクロック数を計数する。Ｌカウンタ１３２はＰＬＬ回路１２０からのクロック信号ＶＣＬＫに基づいて書き込み信号Ｗｄａｔａに含まれるスペース部のクロック数を計数する。加算器１３３はＨカウンタ１３１の出力値Ｍ１とスペース検出回路１３６から出力されるマーク補正値Ｍ４とを加算し、加算結果Ｍ２をマーク検出回路１３５に出力する。加算器１３４はＬカウンタ１３２の出力値Ｓ１とマーク検出回路１３５から出力されるスペース補正値Ｓ４とを加算し、加算結果Ｓ２をスペース検出回路１３６に出力する。
【０１２９】
マーク検出回路１３５は、先ず加算器１３３での加算結果Ｍ２を１／Ｎ分周器１２３の分周率Ｎ（ここでは８）で除算し、その商ＭＭが次の（１）式を満足するか否かを判断する。ＭＲは予め設定された値である。
【０１３０】
Ｍ２＞Ｎ・ＭＭ＋ＭＲ  ……（１）
【０１３１】
そして、上記（１）式が満足される場合には、次の（２）式に基づいて、補正されたマーク部のサイクル数Ｍ３を求める。
【０１３２】
Ｍ３＝Ｎ・（ＭＭ＋１）  ……（２）
【０１３３】
一方、上記（１）式が満足されない場合には、次の（３）式に基づいて、補正されたマーク部のサイクル数Ｍ３を求める。
【０１３４】
Ｍ３＝Ｎ・ＭＭ  ……（３）
【０１３５】
そして、次の（４）式に基づいて、前記スペース補正値Ｓ４を求める。
【０１３６】
Ｓ４＝Ｍ３−Ｍ２  ……（４）
【０１３７】
スペース検出回路１３６は、先ず加算器１３４での加算結果Ｓ２を１／Ｎ分周器１２３の分周率Ｎ（ここでは８）で除算し、その商ＳＳが次の（５）式を満足するか否かを判断する。ＳＲは予め設定された値である。
【０１３８】
Ｓ２＞Ｎ・ＳＳ＋ＭＲ  ……（５）
【０１３９】
そして、上記（５）式が満足される場合には、次の（６）式に基づいて、補正されたスペース部のサイクル数Ｓ３を求める。
【０１４０】
Ｓ３＝Ｎ・（ＳＳ＋１）  ……（６）
【０１４１】
一方、上記（５）式が満足されない場合には、次の（７）式に基づいて、補正されたスペース部のサイクル数Ｓ３を求める。
【０１４２】
Ｓ３＝Ｎ・ＳＳ  ……（７）
【０１４３】
そして、次の（８）式に基づいて、前記マーク補正値Ｍ４を求める。
【０１４４】
Ｍ４＝Ｓ３−Ｓ２  ……（８）
【０１４５】
ここでは、Ｍ１＝２８、Ｓ１＝２８であり、一例としてＭＲ＝４、Ｍ４＝０とすると、マーク検出回路１３５では、上記（１）式が満足されないため、上記（３）式に基づいてＭ３＝２４となる。そして、上記（４）式に基づいてＳ４＝４となる。スペース検出回路１３６では、Ｓ２＝３２となり、上記（５）式が満足されないため、上記（７）式に基づいてＳ３＝３２となる。これにより、マーク部のサイクル数及びスペース部のサイクル数は正しい値となる。なお、Ｗｄａｔａにおける立上り波形はほぼ一様であるため、Ｍ４＝０としても立上りから次の立上りまでの時間は正しくとり込むことができる。また、Ｓ４＝０として立下りを基準とする場合も同様である。
【０１４６】
そこで、上記補正回路１３０の変形例として図１８に示される補正回路１４０を用いても良い。
【０１４７】
この補正回路１４０は、Ｈカウンタ１４１、サイクルカウンタ１４２、マーク検出回路１４３、減算器１４４及びスペース検出回路１４５などを備えている。
【０１４８】
Ｈカウンタ１４１はＰＬＬ回路１２０からのクロック信号ＶＣＬＫに基づいて書き込み信号Ｗｄａｔａに含まれるマーク部のクロック数を計数する。サイクルカウンタ１４２は、Ｗｄａｔａにおける立上りから次の立上りまでの時間測定用に設けられ、ＰＬＬ回路１２０からのクロック信号ＶＣＬＫに基づいてサイクル数を計数する。減算器１４４はサイクルカウンタ１４２の出力値Ｃ１からマーク検出回路１４３の出力値Ｍ５を減算し、減算結果Ｃ２をスペース検出回路１４５に出力する。マーク検出回路１４３及びスペース検出回路１４５では、上記補正回路１３０の場合と同様にして、マーク部のサイクル数Ｍ５及びスペース部のサイクル数Ｓ５を求める。
【０１４９】
これにより、Ｗｄａｔａ及びＷｃｋの周波数が高くなったときの、転送線路などに起因する信号波形の遅れ（なまり）の影響を補正することが可能となる。
【０１５０】
なお、上記補正回路１３０，１４０は、制御部２４１と変調信号生成部２４３との間に個別に設けられても良い。
【０１５１】
なお、上記実施形態では、位相調整回路１１０が変調信号生成部２４３に設けられる場合について説明したが、これに限らず、例えば制御部２４１と変調信号生成部２４３との間に個別に設けられても良い。
【０１５２】
また、上記実施形態では、タイミング信号生成手段として位相調整回路１１０が用いられ、互いに異なる位相を有する信号の中から、記録速度に応じた信号がタイミング信号として選択される場合について説明したが、本発明がこれに限定されるものではなく、例えば、記録速度に応じて記録クロック信号Ｗｃｋの位相を直接調整する回路を設けても良い。
【０１５３】
また、上記実施形態では、光ディスクがＤＶＤの規格に準拠した相変化型ディスクの場合について説明したが、これに限定されるものではない。例えば熱伝導率が高い色素型ディスクでは、記録速度が高速化すると、蓄熱の影響によりマーク領域のエッジシフトを生じる場合がある。この場合に、上記実施形態と同様にして、オーバーシュートパワーの加算、アンダーシュートパワーの減算を行うことにより、パルス幅調整の時間分解能を向上させることなく、発光パワーを精度良く制御することが可能となる。
【０１５４】
また、上記実施形態において、より影響度の高いマーク長及びスペース長（これらを総称して「ランレングス」ともいう）に基づいて付加時間を設定しても良い。これにより、回路の簡素化を促進することができる。すなわち、先頭加熱パルスＨＰ１への加算時間Ｔｏ１、及び冷却パルスＣＰ１への減算時間Ｔｕ１を直前スペース領域のスペース長とマーク長とに基づいて設定し、最終加熱パルスＨＰ４への加算時間Ｔｏ４、及び冷却パルスＣＰ４への減算時間Ｔｕ４をマーク長と直後スペース領域のスペース長に基づいて設定してもよい。さらに、中間加熱パルスＨＰ２、ＨＰ３への加算時間Ｔｏ２、Ｔｏ３、及び冷却パルスＣＰ２、ＣＰ３への減算時間Ｔｕ２、Ｔｕ３をそれぞれマーク長に基づいて設定してもよい。
【０１５５】
また、上記実施形態では、光ディスク装置がＤＶＤ系の情報記録媒体に対応する場合について説明したが、これに限定されるものではなく、例えばＭＯやＭＤなどの光磁気ディスクに対応する光ディスク装置であっても良い。要するに、光源からレーザ光をパルス発光して情報を記録する光ディスク装置であれば良い。
【０１５６】
また、上記実施形態では、情報の記録及び再生が可能な光ディスク装置について説明したが、これに限らず、情報の記録、再生及び消去のうち、少なくとも情報の記録が可能な光ディスク装置であれば良い。また、光ディスク装置はパソコン内蔵型であっても、外部据え置き型であっても良い。さらに、内蔵型の場合には、パソコンはデスクトップタイプであっても、ノートタイプであっても良い。
【０１５７】
また、上実施形態では、光源が１つの場合について説明したが、本発明がこれに限定されるものではない。例えば、ＣＤ用の光源とＤＶＤ用の光源とを備えていても良い。さらに、ＣＤ用の光源及びＤＶＤ用の光源とともに、あるいはいずれかの光源に代えて、波長が４０５ｎｍの光束を出射する光源を備えても良い。すなわち、複数種類の情報記録媒体に対応した光ディスク装置であっても良い。
【０１５８】
【発明の効果】
以上説明したように、本発明に係るパワー制御方法及びパワー制御装置によれば、高コスト化を招くことなく、高速記録においても発光パワーを精度良く制御することができるという効果がある。
【０１５９】
また、本発明に係る情報記録装置によれば、記録品質に優れた記録を高速度で行うことができるという効果がある。
【図面の簡単な説明】
【図１】本発明の一実施形態に係る光ディスク装置の構成を示すブロック図である。
【図２】図１における光ピックアップ装置の構成を説明するための図である。
【図３】図１における再生信号処理回路の構成を説明するためのブロック図である。
【図４】図１におけるレーザコントロール回路の構成を説明するためのブロック図である。
【図５】図４における変調部の構成を説明するためのブロック図である。
【図６】図４における付加電流生成部の構成を説明するためのブロック図である。
【図７】オーバーシュートパワー及びアンダーシュートパワーを説明するための図である。
【図８】マーク領域を形成するときの発光パワーのパルス形状を説明するための図である。
【図９】レーザコントロール回路の作用を説明するためのタイミングチャートである。
【図１０】発光パワーのパルス形状と形成されるマーク領域との関係を説明するための図である。
【図１１】図１１（Ａ）〜図１１（Ｄ）は、それぞれオーバーシュートパワーの加算時間と照射エネルギの増加量との関係を説明するための図である。
【図１２】図１２（Ａ）〜図１２（Ｃ）は、それぞれパルス幅の増加時間と照射エネルギの増加量との関係を説明するための図である。
【図１３】図１３（Ａ）〜図１３（Ｄ）は、それぞれ発光パワーの立ち上がり波形とオーバーシュートパワーとの関係を説明するための図である。
【図１４】書き込み信号になまりがある場合の処理を説明するための図である。
【図１５】図１５（Ａ）及び図１５（Ｂ）は、それぞれ位相調整回路を説明するための図である。
【図１６】書き込み信号の立上り波形と立下り波形とが非対称であり、さらに２値化するときのスライスレベルが信号振幅の中心ではない場合を説明するための図である。
【図１７】ＰＬＬ回路及び補正回路の構成を説明するためのブロック図である。
【図１８】補正回路の変形例を説明するためのブロック図である。
【図１９】図１９（Ａ）〜図１９（Ｃ）は、それぞれレーザダイオードにおける接合容量を説明するための図である。
【符号の説明】
１５…光ディスク（情報記録媒体）、２０…光ディスク装置、２４…レーザコントロール回路（パワー制御装置）、４０…ＣＰＵ（処理装置）、５１ａ…半導体レーザ（光源）、５９…第１の受光器（光検出器）、６０…対物レンズ、１１０…位相調整回路（タイミング信号生成手段）、１２０…ＰＬＬ回路（高周波クロック信号生成手段）、１３０，１４０…補正回路（復元手段の一部）、２４１…制御部（選択手段）、２４３…変調信号生成部（復元手段）、Ｐｏｓ…オーバーシュートパワー（第１の値）、Ｐｕｓ…アンダーシュートパワー（第２の値）。
【図１】
2004273036.tif 000003
【図２】
2004273036.tif 000004
【図３】
2004273036.tif 000005
【図４】
2004273036.tif 000006
【図５】
2004273036.tif 000007
【図６】
2004273036.tif 000008
【図７】
2004273036.tif 000009
【図８】
2004273036.tif 000010
【図９】
2004273036.tif 000011
【図１０】
2004273036.tif 000012
【図１１】
2004273036.tif 000013
【図１２】
2004273036.tif 000014
【図１３】
2004273036.tif 000015
【図１４】
2004273036.tif 000016
【図１５】
2004273036.tif 000017
【図１６】
2004273036.tif 000018
【図１７】
2004273036.tif 000019
【図１８】
2004273036.tif 000020
【図１９】
2004273036.tif 000021